(57)【要約】【課題】  スーパーカー等のように通行人の注目を惹く広告媒体を使用した広告方法の提供。【解決手段】  スーパーカー等の外国製高級車を広告媒体とした広告方法であって、外国製高級車に広告主から依頼された広告を表示し、この外国製高級車を市中に走行させると共に、あらかじめテレビ・ラジオ・新聞・雑誌・街頭チラシ・ホームページ等のメディアを通して、カメラが接続された携帯端末で前記車を撮影し、その画像をメールに添付してネットワークを介して指定のサーバーに送信すると、抽選で賞品又は賞金を与える旨の宣伝をしておき、前記高級車を市中で目撃した人が、その高級車を前記携帯端末で撮影した後、その画像をメールに添付して指定されたサーバーに送信し、前記画像が送信されてきたサーバーでは、送信されてきた画像付きメールを一定期間毎に抽選し、当選者にはその旨の通知をメールで行うと共に賞品又は賞金を当選者に送付するようにした。【選択図】  図１
2006064854.tif 000002
【特許請求の範囲】
【請求項１】
スーパーカー等の外国製高級車を広告媒体とした広告方法であって、
外国製高級車に広告主から依頼された広告を表示し、この外国製高級車を市中に走行させると共に、
あらかじめテレビ・ラジオ・新聞・雑誌・街頭チラシ・ホームページ等のメディアを通して、市中を走行中の前記高級車をカメラが接続された携帯端末で撮影し、その画像をメールに添付してネットワークを介して指定されたサーバーに送信すると、抽選で賞品又は賞金をもらえる旨の宣伝をしておき、
前記高級車を市中で目撃した人が、その高級車を前記携帯端末で撮影した後、その画像をメールに添付して指定されたサーバーに送信し、
前記画像が送信されてきたサーバーでは、送信されてきた画像付きメールを一定期間毎に抽選し、当選者にはその旨の通知をメールで行うと共に賞品又は賞金を当選者に送付するようにしたことを特徴とするスーパーカー等の外国製高級車を広告媒体とした広告方法。
【請求項２】
カメラが接続された携帯端末が、デジタルカメラ装備の携帯電話であることを特徴とする請求項1記載のスーパーカー等の外国製高級車を広告媒体とした広告方法。
【請求項３】
カメラが接続された携帯端末が、デジタルカメラ装備の簡易携帯電話又は個人情報管理ツールとしてのＰＤＡであることを特徴とする請求項1記載のスーパーカー等の外国製高級車を広告媒体とした広告方法。
【発明の詳細な説明】
【技術分野】
【０００１】
本発明は、スーパーカー等の外国製高級車を広告媒体とした広告方法に関する。
【背景技術】
【０００２】
従来、車両を使用した交通広告としては、タクシー、バスや電車、あるいは企業が所有する営業車などに広告を表示したものが知られているが、広告を表示する車両として市中に多数走行している国産車やバス等を使用しているため、あまり目立たず、通行人の注目度が高いとはいえなかった（例えば、特許文献１）。
又、街頭の看板としては、各種のものがあり、その中には通行人の注目を集めるものもあるが、看板が固定されているという性質上、その場所を通らない限り人の目に触れないという不都合がある。
現代社会において、企業は、自社商品やサービス内容を消費者に強くアピールして、顧客吸引力を確保するために、消費者の注目を集めるインパクトがある広告媒体を求めている。
【０００３】
しかしながら、従来の交通広告は、ありふれていて通行人はなんら注目せず、インパクトが弱いという問題があり、又、街頭広告は、看板が固定されているから、広告の認知範囲が狭いという問題があった。
【特許文献１】特開２０００−１９８３８２号公報
【発明の開示】
【発明が解決しようとする課題】
【０００４】
本発明は、上記の点に鑑みてなされたもので、通行人の注目を惹きつける広告媒体として、スーパーカーその他の外国製高級車を使用し、又、その広告媒体としての注目度を高めるため、現代人の必需品として誰でもが持っているカメラ付き携帯電話を利用して、前記スーパーカーを撮影した画像を指定されたサーバーに送信することにより、抽選で賞品又は賞金がもらえるようにし、これにより消費者の注目度を高めることができる新規な広告方法を提供することを目的とするものである。尚、本発明でいうスーパーカーとは、１９７０年代に世界で販売された高性能スポーツカーの中で特に速くてカッコいいモデル車のことをいい、例えば、ロータス全車、ランボルギーニ全車、ジャガー全車、ポルシェ全車、フェラーリ全車、デ・トマソ全車、マセラティ全車、ランチア・ストラトス、０３７ラリー、マクラーレンＦ１、ブガッティＥＢ１１０、アルファ・ロメオ等のように、日本又は外国で開催されるスーパーカーショー等に展示される世界の名車のことをいう。
【課題を解決するための手段】
【０００５】
上記の課題を解決するために、本発明（請求項１）のスーパーカー等の外国製高級車を広告媒体とした広告方法は、
スーパーカー等の外国製高級車を広告媒体とした広告方法であって、
外国製高級車に広告主から依頼された広告を表示し、この外国製高級車を市中に走行させると共に、
あらかじめテレビ・ラジオ・新聞・雑誌・街頭チラシ・ホームページ等のメディアを通して、市中を走行中の前記高級車をカメラが接続された携帯端末で撮影し、その画像をメールに添付してネットワークを介して指定されたサーバーに送信すると、抽選で賞品又は賞金をもらえる旨の宣伝をしておき、
前記高級車を市中で目撃した人が、その高級車を前記携帯端末で撮影した後、その画像をメールに添付して指定されたサーバーに送信し、
前記画像が送信されてきたサーバーでは、送信されてきた画像付きメールを一定期間毎に抽選し、当選者にはその旨の通知をメールで行うと共に賞品又は賞金を当選者に送付するようにした方法を採用した。
【０００６】
又、本発明のカメラが接続された携帯端末としては、デジタルカメラ装備の携帯電話である態様（請求項２）やデジタルカメラ装備の簡易携帯電話（ＰＨＳ）又は個人情報管理ツールとしてのＰＤＡである態様（請求項３）がある。
【発明の効果】
【０００７】
本発明のスーパーカー等の外国製高級車を広告媒体とした広告方法（請求項１）は、広告媒体としてスーパーカー等の外国製高級車を使用しているので、通行人の注目度を高めることができ、広告している商品やサービスの宣伝効果を高めることができる。又、市中を自由に走行することができるから、広範囲に広告宣伝を行うことができる。
又、その車をカメラ付き携帯電話で撮影し、その画像を広告会社等のサーバーに送付することにより、賞品や賞金をもらえる可能性があるから、その車の珍しさと実利の相乗効果で、広告宣伝効果をさらに向上させることができる。
【０００８】
又、カメラ付き携帯電話やＰＨＳあるいはＰＤＡを持っていれば、誰でも懸賞に応募することができるから、幅広い層の消費者にこの広告を注目させることができる。又、広告を行う広告会社や企業もメールの受信用サーバーを設置するだけで懸賞に対処できるから、簡単にこの方法を実施することができる。
【発明を実施するための最良の形態】
【０００９】
図１は本発明のスーパーカー等の外国製高級車を広告媒体とした広告方法の概念図である。尚、以下の説明では、外国製高級車としてはスーパーカーを使用し、カメラと接続した携帯端末としては、デジタルカメラ装備のカメラ付き携帯電話を例として説明する。
【００１０】
図1で，符号１は車体に広告を表示したスーパーカー、２は通行人のカメラ付き携帯電話、３は広告主の企業や商店、あるいは広告会社のサーバーで、カメラ付き携帯電話２とサーバー３はネットワーク４を介して繋がっている。
【００１１】
広告会社は、注目度の高い広告媒体を求めている企業や商店等の広告主から広告の依頼を受けると、広告用シールやステッカー、あるいは車に搭載可能な広告装置を作成する。そして、そのシール等をスーパーカー１の車体に貼付したり、装着した後、スーパーカー１を走行させて路上走行宣伝を行う。走行場所は、なるべく通行人が多い地域を選択する。
【００１２】
路上を走行中の広告表示中のスーパーカー１に遭遇し目撃した人は、カメラ付き携帯電話２でスーパーカー１を撮影し、それをメールに添付し、スーパーカー１に掲示、又は、新聞や雑誌等に掲載されていたメールアドレスまで送信する。メールを受信したサーバー３はそれを管理し、たとえば、1ヶ月ごとにまとめて公正な抽選を行い、当選者にはメールでその旨を通知すると共に、当選者に賞品又は賞金を郵便又は宅配便で送付する。
【００１３】
図２は、カメラ付き携帯電話２のハードウェア構成を示す概念図である。
図２において、符号２１はカメラ付き携帯電話1の電子部品を連繋するする転送路としてのバスである。
バス２１には、テンキー２２、インターフェース（I／F）２３を経由してデジタルカメラ５、通信装置２４、アンテナ６が連結されている。テンキー２２は、ネットワーク４に接続したり、必要情報を入力したりする場合に使用する。通信装置２４やアンテナ６は、ネットワーク４に接続してサーバー３とカメラ付き携帯電話２との間で通信するためのものである。また、バス２１には中央演算処理装置であるＣＰＵ２５，主記憶装置であるメインメモリ２６，液晶ディスプレイ（ＬＣＤ）７，各種プログラムが記憶された内部メモリ８，画像情報を記憶するＶＲＡＭ（Video  Random  Access  Memory）２７が連結されている。テンキー２２やデジタルカメラ５で入力された文字情報や画像情報は、ケーブルを通じて一旦、メインメモリ２６へ送られる。メインメモリ２６とＣＰＵ２５との間では、常に情報のやり取りが行われる。ＣＰＵ２５で処理された結果は、ＬＣＤ７の画面に表示される。すなわちハードウェア構成において、ＣＰＵ２５は、メインメモリ２６に保存されている各種データをもとに、内部メモリ８に記憶されたプログラムの命令に従ってＣＰＵ２５が演算・処理して出てきた結果をメインメモリ２６へ送り返すという作業を繰り返し行う。
【００１４】
次に、本実施形態の作用効果を述べる。
本実施形態では、スーパーカー１に広告を掲載しているから、通行人の注目を惹き、それに掲載している広告の宣伝効果が向上する。
路上を走行中の広告掲載中のスーパーカー１に遭遇し目撃した人は、カメラ付き携帯電話２でスーパーカー１を撮影し、それをメールに添付し、スーパーカー１に掲示、又は、新聞や雑誌等に掲載されていたメールアドレスまで送信する。メールを受信したサーバー３はそれを管理し、たとえば、1ヶ月ごとにまとめて公正な抽選を行い、当選者にはメールでその旨を通知すると共に、当選者に賞品又は賞金を郵便又は宅配便で送付する。
【００１５】
尚、カメラ付き携帯電話の代わりにデジタルカメラが装備された簡易型携帯電話（ＰＨＳ）または個人情報管理ツールとしてのＰＤＡを用いてもよい。又、デジタルカメラで撮影した写真をパソコンでサーバーに送信してもよいことはもちろんである。又、広告としては、シールやステッカーに限定されず、車体自体に広告を表示したり、広告装置を装着するなどその広告方法は自由である。
【図面の簡単な説明】
【００１６】
【図１】本発明のスーパーカー等の外国製高級車を広告媒体とした広告方法の概念図である。
【図２】本発明の広告方法に使用するカメラ付き携帯電話のハードウェア構成を示す概念図である。
【符号の説明】
【００１７】
１  スーパーカー(外国製高級車)
２  カメラに接続された携帯端末（カメラ付き携帯電話）
３  サーバー
４  ネットワーク
【図１】
2006064854.tif 000003
【図２】
2006064854.tif 000004